(57)【要約】【課題】  組立および分解（分別）を容易に行えるとともに、液晶パネルをホルダ内に永年にわたって確実に固定できるようにする。【解決手段】  端子部１１１にフレキシブル基板１３０を接続した液晶パネル１００をホルダ２００のパネル収納凹部２１０内に収納し、パネル収納凹部２１０の端子部１１１と対向する特定の１辺側からフレキシブル基板１３０をホルダ２００外に引き出してなる液晶表示装置において、パネル収納凹部２１０の上記特定の１辺をパネル差し込み口２２０とし、残りの３辺に設けられている側枠２３０，２４０，２５０のうちの対向する側枠２３０と側枠２４０とに、液晶パネル１００の端子部１１１に隣接する２辺に形成されている鍔部１２１を保持するガイド溝２６０を形成し、液晶パネル１００をパネル差し込み口２２０から各ガイド溝２６０に沿ってパネル収納凹部２１０内に収納する。【選択図】  図６
2005242104.tif 000002
【特許請求の範囲】
【請求項１】
端子部にフレキシブル基板が接続されている液晶パネルと、パネル収納凹部を有するホルダとを含み、上記液晶パネルが上記パネル収納凹部内に収納され、上記パネル収納凹部の上記端子部と対向する特定の１辺側から上記フレキシブル基板が上記ホルダ外に引き出されている液晶表示装置において、
上記パネル収納凹部は上記特定の１辺を除く３辺に側枠を有し、そのうちの対向する２辺の第１側枠と第２側枠には上記液晶パネルの上記端子部に隣接する２辺を保持するガイド溝が形成されており、上記液晶パネルが上記特定の１辺側から上記各ガイド溝に案内されて上記パネル収納凹部内に収納されることを特徴とする液晶表示装置。
【請求項２】
上記液晶パネルは、反表示観察面側基板の上記端子部に隣接する２辺に表示観察面側基板よりも外側に突出し上記ガイド溝に保持される鍔部を備えていることを特徴とする請求項１に記載の液晶表示装置。
【請求項３】
上記第１側枠と第２側枠の少なくとも一方の側枠の上記特定の１辺側には、上記液晶パネルの縁に弾性的に係合し上記液晶パネルの上記パネル収納凹部からの抜けを防止するストッパ手段が設けられていることを特徴とする請求項１または２に記載の液晶表示装置。
【請求項４】
上記パネル収納凹部の上記特定の１辺と対向する辺に配置されている第３側枠には、上記液晶パネルを上記特定の１辺側に向けて付勢するバネ手段が設けられていることを特徴とする請求項３に記載の液晶表示装置。
【請求項５】
上記ガイド溝内の上面には、上記液晶パネルを上記パネル収納凹部の底面側に向けて押し付ける突起部が部分的に形成されていることを特徴とする請求項１ないし４のいずれか１項に記載の液晶表示装置。
【発明の詳細な説明】
【技術分野】
【０００１】
本発明は液晶パネルをホルダ内に収納してなる液晶表示装置に関し、さらに詳しく言えば、そのホルダ内における液晶パネルの固定手段に関するものである。
【背景技術】
【０００２】
液晶パネルを液晶表示装置として組み立てるにあたっては、液晶パネルの端子部にＣＯＦ（Ｃｈｉｐ  Ｏｎ  Ｆｉｌｍ）やＴＣＰ（Ｔａｐｅ  Ｃａｒｒｉｅｒ  Ｐａｃｋａｇｅ）などのフレキシブル基板を接続してから、落下などの外部衝撃から保護するため例えば合成樹脂製のホルダ内に収納するようにしている。
【０００３】
液晶パネルが反射型の場合には、その液晶パネルのみがホルダ内に収納されるが、液晶パネルが透過型もしくは半透過型である場合には、ホルダ内に液晶パネルとともに照明手段としてのバックライトユニットが収納される。
【０００４】
いずれにしても、携帯電話機用途などで液晶表示装置の配置スペースが限られている場合には、液晶パネルをホルダ内に収納したのち端子部に接続されているフレキシブル基板をホルダの裏面側に向けてほぼ１８０度折り曲げ、ホルダの裏面側に設けられている制御回路基板と接続する。
【０００５】
したがって、液晶パネルにはフレキシブル基板が戻ろうとする反発力が加えられる。また、そうでないにしてもホルダ内における液晶パネルのガタつきを防止するため、液晶パネルをホルダに対して固定する必要がある。
【０００６】
そのため、従来においてはもっとも簡便な手法として両面粘着テープを用いて液晶パネルをホルダに固定するようにしている。また、これとは別にホルダの側枠にパネル係止爪やフックなどの係止手段を設けて液晶パネルを固定する方法も知られている（下記特許文献１参照）。
【０００７】
【特許文献１】特開２００２−２５８２４６号公報
【発明の開示】
【発明が解決しようとする課題】
【０００８】
しかしながら、両面粘着テープによる場合には次のような問題がある。すなわち、両面粘着テープの粘着力は経年的に劣化するため信頼性に乏しく、劣化が進んだ状態で外部衝撃を受けるとホルダから液晶パネルが剥がれてしまうことがある。
【０００９】
また、近年環境問題が大きく取り上げられ、製品のリサイクル（再利用）として部品の分別回収・処理の適正化の要求が厳しくなってきているが、両面粘着テープによるとホルダから液晶パネルを引き剥がす分別作業に手間がかかるばかりでなく、特に強粘着の両面粘着テープを使用した場合には往々にして糊残りが発生するため除去液で拭き取る作業も必要となる。
【００１０】
これに対して、特許文献１に見られるようなパネル係止爪やフックなどの係止手段によれば両面粘着テープのような経年劣化がほとんど生ずることがなく、また、分別作業も楽に行えるが、止める箇所が数点であるため外的衝撃などにより液晶パネルがパネル係止爪やフックから外れることがある。
【００１１】
したがって、本発明の課題は、液晶パネルをホルダ内に収納してなる液晶表示装置において、組立および分解（分別）を容易に行えるとともに、液晶パネルをホルダ内に永年にわたって確実に固定できるようにすることにある。
【課題を解決するための手段】
【００１２】
上記課題を解決するため、本願の請求項１に係る発明は、端子部にフレキシブル基板が接続されている液晶パネルと、パネル収納凹部を有するホルダとを含み、上記液晶パネルが上記パネル収納凹部内に収納され、上記パネル収納凹部の上記端子部と対向する特定の１辺側から上記フレキシブル基板が上記ホルダ外に引き出されている液晶表示装置において、上記パネル収納凹部は上記特定の１辺を除く３辺に側枠を有し、そのうちの対向する２辺の第１側枠と第２側枠には上記液晶パネルの上記端子部に隣接する２辺を保持するガイド溝が形成されており、上記液晶パネルが上記特定の１辺側から上記各ガイド溝に案内されて上記パネル収納凹部内に収納されることを特徴としている。
【００１３】
本願の請求項２に係る発明は、上記液晶パネルは反表示観察面側基板の上記端子部に隣接する２辺に表示観察面側基板よりも外側に突出し上記ガイド溝に保持される鍔部を備えていることを特徴としている。
【００１４】
本願の請求項３に係る発明は、上記第１側枠と第２側枠の少なくとも一方の側枠の上記特定の１辺側には、上記液晶パネルの縁に弾性的に係合し上記液晶パネルの上記パネル収納凹部からの抜けを防止するストッパ手段が設けられていることを特徴としている。
【００１５】
本願の請求項４に係る発明は、上記パネル収納凹部の上記特定の１辺と対向する辺に配置されている第３側枠には、上記液晶パネルを上記特定の１辺側に向けて付勢するバネ手段が設けられていることを特徴としている。
【００１６】
また、本願の請求項５に係る発明は、上記ガイド溝内の上面には上記液晶パネルを上記パネル収納凹部の底面側に向けて押し付ける突起部が部分的に形成されていることを特徴としている。
【発明の効果】
【００１７】
請求項１に係る発明によれば、液晶パネルをパネル収納凹部の特定の１辺側からガイド溝に沿ってスライドさせて押し込むことにより液晶パネルをパネル収納凹部内に確実に保持させることができ、また、メンテナンス作業時や分別作業時には液晶パネルをホルダから容易に取り出すことができる。
【００１８】
また、請求項２に係る発明によれば、ホルダには液晶パネルの上面（表示観察面）より上に突出する係止爪やフックなどの係止手段を設ける必要がないためホルダの厚みが増やされることもない。したがって、薄型化に対応できる。さらに、請求項３ないし５に係る発明によれば、ホルダ内での液晶パネルのガタ付きを確実に防止することができる。
【発明を実施するための最良の形態】
【００１９】
次に、図面を参照して本発明の実施形態について説明するが、本発明はこれに限定されるものではない。図１（ａ）に本発明による液晶表示装置の平面図を示す。図１（ｂ）は同液晶表示装置の正面図，図１（ｃ）は図１（ａ）のＡ−Ａ線断面図，図１（ｄ）は図１（ａ）のＢ−Ｂ線断面図である。図２（ａ）に上記液晶表示装置に含まれる液晶パネルの平面図を示す。図２（ｂ）は同液晶パネルの右側面図である。図３（ａ）に上記液晶表示装置に含まれるホルダの平面図を示す。図３（ｂ）は同ホルダの正面図，図３（ｃ）は図３（ａ）のＣ−Ｃ線断面図である。
【００２０】
図１に示すように、この液晶表示装置は液晶パネル１００とホルダ２００とを備え、液晶パネル１００はホルダ２００に形成されているパネル収納凹部に対してその特定の１辺側から差し込むようにして収納される。
【００２１】
図２を併せて参照して、液晶パネル１００は図示しない周辺シール材を介して圧着された第１および第２のパネル基板（透明電極基板）１１０，１２０を備えている。この例において、第１パネル基板１１０が表示観察面側の基板で、第２パネル基板１２０が裏面側（反表示観察面側）の基板である。
【００２２】
これらパネル基板１１０，１２０のうち、表示観察面側の第１パネル基板１１０に端子部１１１が連設されており、端子部１１１にはＣＯＦやＴＣＰなどのフレキシブル基板１３０が接続されている。
【００２３】
これに対して、裏面側の第２パネル基板１２０の対向する２辺（端子部１１１に隣接する２辺）には第１パネル基板１１０よりも外側に突出する鍔部１２１，１２１が第２パネル基板１２０と一体に形成されている。なお、参照符号１１２，１２２はパネル基板１１０，１２０に貼着されている偏光板である。
【００２４】
図３を併せて参照して、ホルダ２００はその一方の面側にパネル収納凹部２１０を備えており、この例では全体が合成樹脂材よりなる。液晶パネル１００が透過型もしくは半透過型である場合には、例えば図１（ｄ）の断面図に示すようにホルダ２００にはパネル収納凹部２１０内の液晶パネル１００に向けて光を照射するバックライトユニット３００が設けられる。
【００２５】
パネル収納凹部２１０は底壁２１１とその３辺に立設された側壁２３０，２４０，２５０を備え、残された特定の１辺は側壁のないパネル差し込み口（パネル挿入口）２２０として形成されている。すなわち、液晶パネル１００は反端子部１１１側を先方としてパネル差し込み口２２０からパネル収納凹部２１０内に差し込まれる。したがって、端子部１１１はパネル差し込み口２２０側に配置され、フレキシブル基板１３０はパネル差し込み口２２０からホルダ２００の外側に引き出される。
【００２６】
パネル収納凹部２１０を囲む３つの側壁２３０，２４０，２５０のうち、対向する２つの側壁２３０，２４０には液晶パネル１００をスライド可能に保持するガイド溝２６０，２６０が設けられている。側壁２３０側のガイド溝２６０と側壁２４０側のガイド溝２６０は左右対称であるため、その一方の側壁２３０側のガイド溝２６０を図４の要部斜視図に拡大して示す。
【００２７】
これによると、ガイド溝２６０は側壁２３０（２４０）の上端をパネル収納凹部２１０の内側に向けてほぼ直角に折り曲げてなるガイド壁２３１（２４１）により形成されている。この例において、ガイド溝２６０の高さ幅はパネル基板１枚あたりの板厚相当幅とされ、裏面側第２パネル基板１２０の上記鍔部１２１をスライド可能に保持する。
【００２８】
これによれば、図１（ｂ）（ｃ）に示すように、パネル収納凹部２１０の側壁２３０，２４０，２５０を液晶パネル１００の表示観察面以上に出っ張らせる必要がないため液晶表示装置全体の厚みを薄くすることができるので好ましい。
【００２９】
また、図４に示すようにガイド溝２６０内の上面に上記鍔部１２１をパネル収納凹部２１０の底壁２１１側に向けて押し付ける突起部２６１を形成することにより、パネル収納凹部２１０内における液晶パネル１００の板厚方向のガタ付きを効果的に防止することができる。突起部２６１は各ガイド溝２６０の長手方向の中央１箇所（合計２箇所）に配置することが好ましい。
【００３０】
なお、ガイド溝２６０の高さ幅をパネル基板２枚分の板厚相当幅として液晶パネル１００全体の各側辺をスライド可能に保持するようにしてもよく、このような態様も本発明に含まれる。さらには、パネル差し込み口２２０と対向する側壁２５０にもガイド溝を形成してもよい。
【００３１】
また、パネル差し込み口２２０側には液晶パネル１００のパネル収納凹部２１０からの抜けを防止する弾性変形可能なストッパ手段２７０が設けられている。図４にストッパ手段２７０をガイド溝２６０を形成するガイド壁２３１（２４１）に設けた例を示す。
【００３２】
これによると、ストッパ手段２７０は上記ガイド壁２３１（２４１）の端部から側枠２３０（２４０）とほぼ平行にパネル差し込み口２２０側に向けて延びるように形成された弾性変形可能なアーム２７１を備え、アーム２７１には上記鍔部１２１の端部に係合するフック２７２が形成されている。なお、フック２７２と底壁２１１との間隔はパネル基板１枚あたりの厚さ以下に設定されている。
【００３３】
上記の例とは別に、ストッパ手段２７０は例えば側枠２３０，２４０の内面側もしくはパネル収納凹部２１０の底壁２１１側に設けられてもよい。パネル収納凹部２１０の底壁２１１側に設ける場合には１箇所でもよい。
【００３４】
また、パネル収納凹部２１０内における液晶パネル１００の差し込み方向のガタ付きを防止するため、パネル差し込み口２２０と対向する側壁２５０に液晶パネル１００を弾性的に押し戻すバネ手段を設けることが好ましい。図５（ａ）（ｂ）にバネ手段の２つの例を示す。
【００３５】
図５（ａ）は側壁２５０の一部分をパネル収納凹部２１０の底壁２１１から切り離すとともにパネル収納凹部２１０内に向けて膨らませて板バネ２５１とした例である。また、図５（ｂ）は側壁２５０の一部分に片持ち状の板バネ２５２を一体に形成した例である。
【００３６】
この液晶表示装置を組み立てるには、図６（ａ）の平面図および図６（ｂ）の断面図に示すように、液晶パネル１００を反端子部１１１側を先方として差し込み口２２０からパネル収納凹部２１０内に挿入する。
【００３７】
このとき、鍔部１２１，１２１はフック２７２を押し上げてガイド溝２６０，２６０内に入り込む。さらに、液晶パネル１００を側壁２５０に当接する位置までスライドさせるとフック２７２が鍔部１２１，１２１を乗り越えてその端部に係合する。
【００３８】
これにより、鍔部１２１，１２１がガイド溝２６０，２６０に保持されるため液晶パネル１００はパネル収納凹部２１０内に確実に固定される。分解するには、適当な工具でフック２７２を持ち上げて鍔部１２１との係合を解いて液晶パネル１００をパネル収納凹部２１０から抜き出せばよい。したがって、例えばリサイクルする際の分別作業も容易に行うことができる。
【図面の簡単な説明】
【００３９】
【図１】（ａ）は本発明による液晶表示装置を示す平面図，（ｂ）は同液晶表示装置の正面図，（ｃ）は（ａ）のＡ−Ａ線断面図，（ｄ）は（ａ）のＢ−Ｂ線断面図。
【図２】（ａ）は上記液晶表示装置に含まれる液晶パネルを示す平面図，（ｂ）は同液晶パネルの右側面図。
【図３】（ａ）は上記液晶表示装置に含まれるホルダを示す平面図，（ｂ）は同ホルダの正面図，（ｃ）は（ａ）のＣ−Ｃ線断面図。
【図４】本発明の要部を示す拡大斜視図。
【図５】本発明に含まれるガタ付き防止手段の２例を示す模式図。
【図６】（ａ）は本発明による液晶表示装置の組立手順を説明するための平面図，（ｂ）はその断面図。
【符号の説明】
【００４０】
１００  液晶パネル
１１０  第１パネル基板
１１１  端子部
１２０  第１パネル基板
１２１  鍔部
１３０  フレキシブル基板
２００  ホルダ
２１０  パネル収納凹部
２２０  差し込み口
２３０，２４０，２５０  側枠
２５１，２５２  板バネ
２６０  ガイド溝
２６１  突起部
２７０  ストッパ手段
２７２  フック
３００  バックライトユニット
【図１】
2005242104.tif 000003
【図２】
2005242104.tif 000004
【図３】
2005242104.tif 000005
【図４】
2005242104.tif 000006
【図５】
2005242104.tif 000007
【図６】
2005242104.tif 000008